(57)【特許請求の範囲】
【請求項１】
方形環状の扉本体の方形環内に一枚の面材が上下にスライドできるように組み込まれると共に、前記扉本体の上下に、方形環内に面して開口する袋部が形成され、
面材の上部を扉本体の上部袋部内に突出させた状態にすることで下部に換気口が形成され、
面材の下部を扉本体の下部袋部内に突出させた状態にすることで上部に換気口が形成され、
面材を上昇位置と下降位置の中間高さ位置に位置させることにより、上下いずれの換気口も閉じられるようになされていることを特徴とする換気扉。
【請求項２】
前記扉本体の左右に、扉本体の側から面材の側に水平に突出可能な出退ピンを備えた上下の第１，第２のストッパーが組み込まれ、
上側の第１ストッパーの出退ピンを突出させ、該出退ピンに面材の下面を支承させた状態にすることにより、下部換気口を有する換気扉が形成され、
下側の第２ストッパーの出退ピンを突出させると共に、上側の第１ストッパーの出退ピンを退入させ、下側の第２ストッパーの出退ピンに面材の下面を支承させた状態にすることにより、上下の換気口が閉じられた無換気扉が形成され、
上下の第１，第２ストッパーの出退ピンをいずれも退入させ、面材の下部を扉本体の下部袋部内にスライドさせた状態にすることにより、上部換気口を有する換気扉が形成されるようになされている請求項１に記載の換気扉。
【発明の詳細な説明】
【０００１】
【発明の属する技術分野】
本発明は、換気扉に関する。
【０００２】
【従来の技術】
住宅等の建物の高断熱高気密化が進められるなかで機械換気が普及するようになってきており、換気のための空気の通り道として、ドアの下部には換気用開口部を設けることが行われている。
【０００３】
【発明が解決しようとする課題】
しかしながら、そのようなドアでは、冬期暖房時には特に問題はないが、夏期冷房時には、室内の冷気が外に排出されてしまうとともに、天井近くにこもった熱が室外に排出されないという問題を生じる。
【０００４】
本発明は、このような問題に鑑み、夏期のエネルギーコストを低く抑えながら、室内空気環境を年間を通じて良好なものにすることができる換気扉を提供することを課題とする。
【０００５】
【課題を解決するための手段】
上記の課題は、扉本体に上下にスライドする面材が組み込まれ、面材を上昇位置にスライドさせることにより下部に換気口が形成され、面材を下降位置にスライドさせることにより上部に換気口が形成されるようになされていることを特徴とする換気扉によって解決される。
【０００６】
この換気扉では、面材をスライドさせることにより、下部に換気口を形成したり、上部に換気口を形成したりすることができる。従って、夏期冷房時には、面材を下降位置にスライドさせて上部に換気口を形成しておくことにより、室内の冷気が外に排出されてしまうのを防ぎ、天井近くにこもった熱を室外に排出することができる。従って、夏期のエネルギーコストを低く抑えながら、室内空気環境を年間を通じて良好なものにすることができる。
【０００７】
また、上記の換気扉において、面材を上昇位置と下降位置の中間高さ位置に位置させることにより、上下いずれの換気口も閉じられるようになされているのもよい。この換気扉では、必要に応じて扉から換気口をなくすことができ、この扉に対する操作で換気を停止するというようなことも可能となる。
【０００８】
【発明の実施の形態】
次に、本発明の実施形態を図面に基づいて説明する。
【０００９】
第１実施形態を示す図１乃至図３のうちの図１において、１は建具枠、２は換気扉であり、換気扉２は建具枠１に丁番３，３で取り付けられた開き戸式の扉からなっている。
【００１０】
この換気扉２において、図２に示すように、４が扉本体、５が面材である。扉本体４は方形環状に製作されており、そこには取っ手６が取り付けられ、また、面材５は、扉本体４の環内に上下にスライドできるように組み込まれ、図２（イ）に示すように、面材５を上昇位置にスライドさせることにより下部に換気口７が形成され、図２（ロ）に示すように、面材５を下降位置にスライドさせることにより上部に換気口８が形成されるようになされている。なお、本実施形態では、下部換気口７を形成した状態で上部換気口８は閉となり、上部換気口８を形成した状態で下部換気口７は閉となるようにつくられている。
【００１１】
面材５は、図２（ハ）及び図３（イ）に示すように、扉本体４の環内に面する左右の側面部の中央部に上下方向に延びる凹条部４ａ，４ａが設けられ、また、面材５の左右両側面部の中央部に上下方向に延びる凸条部５ａ，５ａが設けられ、これら凸条部５ａと凹条部４ａが嵌合状態にされることで、扉本体４に対し、上下にスライドできるようになっている。
【００１２】
そして、図１（イ）及び図２（イ）に示すように、面材５を上昇位置にスライドさせて扉２の下部に換気口７を形成した状態で、面材５が下降してしまわないよう、下部換気口７内の左右にはストッパー９，９が入れられている。
【００１３】
このストッパー９は、図３（ロ）（ハ）に示すように、下部換気口７の高さ寸法に対応する高さ寸法を備えたブロック状のものからなっていて、これを扉本体４の下辺部と面材５の下面との間に介在配置することにより、面材５の下面がストッパー９，９に支承され、下部換気口７が開の状態に保持されるようになっている。また、ストッパー９の側面部には、扉本体４の凹条部４ａ内に嵌合可能な凸条部９ａが備えられており、この凸条部９ａを扉本体４の側の凹条部４ａ内に嵌合状態にすることで、ストッパー９が扉２から外れてしまわないようになっている。
【００１４】
即ち、ストッパー９は、面材５の自重によって面材５と扉本体４との間に挟み込まれて固定されるが、ストッパー９に対して扉面と直交する方向の外力が作用した場合に、ストッパー９の凸条部９ａと扉本体４の凹条部４ａとが嵌合していることによって、ストッパー９が扉２から外れてしまうのが防がれる。
【００１５】
上記の換気扉２では、面材５を上下にスライドさせることにより、下部に換気口７を形成したり、上部に換気口８を形成したりすることができる。従って、通常時は、図１（イ）に示すように、面材５を上昇位置にスライドさせて下部に換気口７を形成して換気を行うことができる。そして、夏期冷房時には、ストッパー９，９を取り外し、図１（ロ）に示すように、面材５を下降位置にスライドさせ、上部に換気口８を形成しておくことにより、室内の冷気が外に排出されてしまうのを防ぎ、天井近くにこもった熱を室外に排出することができる。こうして、夏期のエネルギーコストを低く抑えながら、室内空気環境を年間を通じて良好なものにすることができる。
【００１６】
また、ストッパー９，９は、常時は、図１（イ）に示すように換気扉２に組み込まれており、夏期冷房時にのみ図１（ロ）に示すように取り外すだけであり、取り外したストッパー９，９は、上部換気口８の両サイドに取り付けておけばよいので紛失する心配はなし、それによってまた、上部換気口８の両サイドの凹条部４ａを隠すことができてドア２の外観体裁を損ねることもない。
【００１７】
図４乃至図７に示す第２実施形態の換気扉２は、扉本体４の上下に、方形環内に面して開口する袋部４ｂ，４ｃが形成され、図４（イ）に示すように、面材５を上昇位置にスライドさせ面材５の上部を扉本体４の上部袋部４ｂ内に突出させた状態にすることで下部に換気口７が形成され、図４（ハ）に示すようように、面材５を下降位置にスライドさせ面材５の下部を扉本体４の下部袋部４ｃ内に突出させた状態とすることで上部に換気口８が形成され、そして、図４（ロ）に示すように、面材５を上昇位置と下降位置の中間高さ位置に位置させることにより、上下いずれの換気口７，８も閉じられるようになされているものである。なお、扉本体４における面材５のスライド機構は、図５に示すように、第１実施形態の場合と同様に、凸条部５ａ，５ａと凹条部４ａ，４ａとの嵌合によって形成されている。
【００１８】
この換気扉２では、面材５を図４（イ）（ハ）に示すように、上下にスライドさせることにより、下部に換気口７を形成したり、上部に換気口８を形成したりすることができ、上記の第１実施形態の場合と同様に、通常時は、図４（イ）に示すように、面材５を上昇位置にスライドさせて下部に換気口７を形成して換気を行い、そして、夏期冷房時には、図４（ハ）に示すように、面材５を下降位置にスライドさせ、上部に換気口８を形成しておくことにより、室内の冷気が外に排出されてしまうのを防ぎ、天井近くにこもった熱を室外に排出するようにして、夏期のエネルギーコストを低く抑えながら、室内空気環境を年間を通じて良好なものにすることができる。しかも、本実施形態の換気扉２では、図４（ロ）に示すように、必要に応じて換気扉２から換気口７，８をなくした状態にして、無換気状態を形成することも可能である。
【００１９】
そして、この換気扉２において、面材５を無換気状態の高さ位置に保持したり、下換気状態に保持したりするため、扉本体４の左右には、スライド式の第１、第２のストッパー１１，１２が上下に組み込まれている。これらのストッパー１１，１２は、図７に示すように、扉本体４の内部において扉本体４の側から面材５の側に水平に突出する出退ピン１３と、この出退ピン１３に連結され、扉本体４の正面側あるいは背面側の面部に露出状態に備えられたスライド式のスイッチ１４とで構成され、スライドスイッチ１４を左右にスライドさせることにより、ピン１３が面材５の下面を支承する突出位置と、面材５のスライドを妨げない退入位置とを行き来することができるようになされている。
【００２０】
このストッパー１１，１２により、図６（イ）及び図７（イ）に示すように、面材５を上方にスライドさせて最上昇位置に位置させ、上側の第１ストッパー１１のスライドスイッチ１４を内向きにスライドさせてピン１３を面材５の下面側に突出させた状態にすることにより、面材５はこのピン１３に支承されて、下部換気口７を有する換気扉２が形成される。また、図６（ロ）及び図７（ロ）に示すように、下側の第２ストッパー１２のピン１３を突出させると共に、第１ストッパー１１のピン１３を退入させ、第２ストッパー１２のピン１３で面材５を支承した状態にすることにより、上下の換気口７，８の閉じられた無換気扉２が形成される。更に、図６（ハ）及び図７（ハ）に示すように、第１，第２のいずれのストッパー１１，１２のピンも退入させ、面材５の下部を扉本体４の下部袋部４ｃ内にスライドさせた状態にすることにより、上部換気口８を有する換気扉２が形成される。
【００２１】
このように換気扉２にストッパー１１，１２を一体的に備えさせることで、ストッパーの紛失を防ぐことができ、しかも、本実施形態のような複数段の切替も容易に行うことができる。
【００２２】
以上に、本発明の実施形態を示したが、本発明はこれに限られるものではなく、発明思想を逸脱しない範囲で、各種の変更が可能である。例えば、上記の実施形態では開き戸形式の扉に適用した場合を示しているが、折れ戸や引き戸形式の扉に適用することも可能である。
【００２３】
【発明の効果】
本発明は、以上のとおりのものであるから、夏期のエネルギーコストを低く抑えながら、室内空気環境を年間を通じて良好なものにすることができる。
【図面の簡単な説明】
【図１】第１実施形態の換気扉を建具枠に取り付け状態を示すもので、図（イ）は下部換気口を形成した状態の正面図、図（ロ）は上部換気口を形成した状態の正面図である。
【図２】図（イ）は下部換気口を形成した状態の換気扉の斜視図、図（ロ）は上部換気口を形成した状態の換気扉の斜視図、図（ハ）は扉の平面断面図である。
【図３】図（イ）は上部換気口部分の隅部の斜視図、図（ロ）は下部換気口部分の隅部を示すもので、ストッパーを分離状態にした斜視図、図（ハ）はストッパーを取り付けた状態の斜視図である。
【図４】第２実施形態の換気扉を建具枠に取り付け状態を示すもので、図（イ）は下部換気口を形成した状態の正面図、図（ロ）は無換気状態にした扉の正面図、図（ハ）は上部換気口を形成した状態の正面図である。
【図５】図（イ）は換気扉の正面図、図（ロ）は図（イ）のＩ−Ｉ線断面矢視図、図（ハ）は図（イ）のＩＩ−ＩＩ線断面矢視図である。
【図６】図（イ）は下部換気口を形成した状態の断面側面図、図（ロ）は無換気状態にした扉の断面側面図、図（ハ）は上部換気口を形成した状態の断面側図である。
【図７】ストッパーの作動状態を示すもので、図（イ）は下部換気口を形成した状態のストッパー部分の正面図、図（ロ）は無換気状態にした状態のストッパー部分の正面図、図（ハ）は上部換気口を形成した状態のストッパー部分の正面図である。
【符号の説明】
２…換気扉
４…扉本体
５…面材
７…下部換気口
８…上部換気口
【図１】
0003913590.tif 000002
【図２】
0003913590.tif 000003
【図３】
0003913590.tif 000004
【図４】
0003913590.tif 000005
【図５】
0003913590.tif 000006
【図６】
0003913590.tif 000007
【図７】
0003913590.tif 000008